(57)【特許請求の範囲】
【請求項１】
ＧＳＭ／ＥＤＧＥ無線アクセスネットワーク（ＧＥＲＡＮ）を用いてセルラ無線システムにアクセスするユーザ機器に、地震津波警報システムの通報メッセージを提供する基地局サブシステムにおける方法において、
緊急センタから地震津波警報システムの通報を受信する工程（３０１）と、
もし、前記ユーザ機器がＧＥＲＡＮ専用モードにあるなら高速付随制御チャネル（ＦＡＣＣＨ）により、また、前記ユーザ機器がＧＥＲＡＮパケット転送モードにあるならパケット付随制御チャネル（ＰＡＣＣＨ）により、前記メッセージの影響を受けるエリアに位置する前記ユーザ機器に対して、前記地震津波警報システムの通報を送信する工程（３０３）とを有することを特徴とする方法。
【請求項２】
前記地震津波警報システムの通報は、前記ユーザ機器が専用動作モードにあるなら、アプリケーション情報メッセージとともに送信されることを特徴とする請求項１に記載の方法。
【請求項３】
前記ユーザ機器がパケット転送モードにあるなら、前記地震津波警報システムの通報を含めた制御メッセージが送信されることを特徴とする請求項１に記載の方法。
【請求項４】
前記ユーザ機器が専用動作モードにあるなら、前記地震津波警報システムの通報を含めた制御メッセージが送信されることを特徴とする請求項１に記載の方法。
【請求項５】
前記ユーザ機器が専用動作モードにあるなら、前記地震津波警報システムの通報が、ポイント−ツウ−ポイントのショートメッセージサービス（ＳＭＳ）メッセージで前記ＦＡＣＣＨにより送信されることを特徴とする請求項１に記載の方法。
【請求項６】
前記ユーザ機器がパケット転送動作モードにあるなら、前記地震津波警報システムの通報はパケットページング要求を送信することにより送信され、前記ユーザ機器に強制的に地震津波警報を送信している制御チャネルを聴取させることを特徴とする請求項１に記載の方法。
【請求項７】
前記ユーザ機器がパケット転送動作モードにあるなら、前記地震津波警報システムの通報はパケットの一時的ブロックフロー（ＴＢＦ）解放メッセージを送信することにより送信され、前記ユーザ機器に強制的に地震津波警報を送信している制御チャネルを聴取させることを特徴とする請求項１に記載の方法。
【請求項８】
前記ユーザ機器がパケット転送動作モードにあるなら、制御メッセージが前記ユーザ機器に送信されて、前記地震津波警報システムの通報を前記ユーザ機器に通知し、これにより、前記ユーザ機器は強制的に地震津波警報を送信している制御チャネルを聴取させられることを特徴とする請求項１に記載の方法。
【請求項９】
ＧＳＭ／ＥＤＧＥ無線アクセスネットワーク（ＧＥＲＡＮ）を用いてセルラ無線システムにアクセスするユーザ機器に、地震津波警報システムの通報メッセージを提供するよう適合された基地局サブシステムにおいて、前記基地局サブシステムは、
緊急センタから地震津波警報システムの通報を受信する手段（１６）と、
もし、前記ユーザ機器がＧＥＲＡＮ専用モードにあるなら高速付随制御チャネル（ＦＡＣＣＨ）により、また、前記ユーザ機器がＧＥＲＡＮパケット転送モードにあるならパケット付随制御チャネル（ＰＡＣＣＨ）により、前記メッセージの影響を受けるエリアに位置する前記ユーザ機器に対して、前記地震津波警報システムの通報を送信する手段（１８）とを有することを特徴とする基地局サブシステム。
【請求項１０】
前記ユーザ機器が専用動作モードにあるなら、前記地震津波警報システムの通報を、アプリケーション情報メッセージとともに送信する手段をさらに有することを特徴とする請求項９に記載の基地局サブシステム。
【請求項１１】
前記ユーザ機器がパケット転送モードにあるなら、前記地震津波警報システムの通報を含む制御メッセージを送信する手段をさらに有することを特徴とする請求項９に記載の基地局サブシステム。
【請求項１２】
前記ユーザ機器が専用動作モードにあるなら、前記地震津波警報システムの通報を含む制御メッセージを送信する手段をさらに有することを特徴とする請求項９に記載の基地局サブシステム。
【請求項１３】
前記ユーザ機器が専用動作モードにあるなら、前記地震津波警報システムの通報を、ポイント−ツウ−ポイントのショートメッセージサービス（ＳＭＳ）メッセージで前記ＦＡＣＣＨにより送信する手段をさらに有することを特徴とする請求項９に記載の基地局サブシステム。
【請求項１４】
前記ユーザ機器がパケット転送動作モードにあるなら、パケットページング要求を送信することにより、前記ユーザ機器に強制的に地震津波警報を送信している制御チャネルを聴取させて、前記地震津波警報システムの通報を送信する手段をさらに有することを特徴とする請求項９に記載の基地局サブシステム。
【請求項１５】
前記ユーザ機器がパケット転送動作モードにあるなら、パケットの一時的ブロックフロー（ＴＢＦ）解放メッセージを送信することにより、前記ユーザ機器に強制的に地震津波警報を送信している制御チャネルを聴取させて、前記地震津波警報システムの通報を送信する手段をさらに有することを特徴とする請求項９に記載の基地局サブシステム。
【請求項１６】
前記ユーザ機器がパケット転送動作モードにあるなら、制御メッセージを前記ユーザ機器に送信して、前記地震津波警報システムの通報を前記ユーザ機器に通知する手段をさらに有し、これにより、前記ユーザ機器に強制的に地震津波警報を送信している制御チャネルを聴取させることを特徴とする請求項９に記載の基地局サブシステム。
【請求項１７】
ＧＳＭ／ＥＤＧＥ無線アクセスネットワーク（ＧＥＲＡＮ）を用いてセルラ無線システムにアクセスするように適合されたユーザ機器において、
もし、前記ユーザ機器がＧＥＲＡＮ専用モードにあるなら高速付随制御チャネル（ＦＡＣＣＨ）により、また、前記ユーザ機器がＧＥＲＡＮパケット転送モードにあるならパケット付随制御チャネル（ＰＡＣＣＨ）により、地震津波警報システムの通報を受信する手段（６０１）を有することを特徴とするユーザ機器。
【請求項１８】
前記ユーザ機器が専用動作モードにあるなら、前記地震津波警報システムの通報を、アプリケーション情報メッセージにおいて受信する手段をさらに有することを特徴とする請求項１７に記載のユーザ機器。
【請求項１９】
前記ユーザ機器がパケット転送モードにあるなら、前記地震津波警報システムの通報を含む制御メッセージを受信する手段をさらに有することを特徴とする請求項１７に記載のユーザ機器。
【請求項２０】
前記ユーザ機器が専用動作モードにあるなら、前記地震津波警報システムの通報を含む制御メッセージを受信する手段をさらに有することを特徴とする請求項１７に記載のユーザ機器。
【請求項２１】
前記ユーザ機器が専用動作モードにあるなら、前記地震津波警報システムの通報を、ポイント−ツウ−ポイントのショートメッセージサービス（ＳＭＳ）メッセージで前記ＦＡＣＣＨにより受信する手段をさらに有することを特徴とする請求項１７に記載のユーザ機器。
【請求項２２】
前記ユーザ機器がパケット転送動作モードにあるなら、パケットページング要求を受信することにより、前記ユーザ機器は強制的に地震津波警報を送信している制御チャネルを聴取させられて、前記地震津波警報システムの通報を受信する手段をさらに有することを特徴とする請求項１７に記載のユーザ機器。
【請求項２３】
前記ユーザ機器がパケット転送動作モードにあるなら、パケットの一時的ブロックフロー（ＴＢＦ）解放メッセージを受信することにより、前記ユーザ機器は強制的に地震津波警報を送信している制御チャネルを聴取させられて、前記地震津波警報システムの通報を受信する手段をさらに有することを特徴とする請求項１７に記載のユーザ機器。
【請求項２４】
前記ユーザ機器がパケット転送動作モードにあるなら、前記地震津波警報システムの通報を前記ユーザ機器に通知している前記ユーザ機器への制御メッセージを受信する手段をさらに有し、これにより、前記ユーザ機器は強制的に地震津波警報を送信している制御チャネルを聴取させられることを特徴とする請求項１７に記載のユーザ機器。
【請求項２５】
前記ユーザ機器がＧＥＲＡＮパケット転送モードにあるなら、前記パケット付随制御チャネル（ＰＡＣＣＨ）により前記メッセージの影響を受けるエリアに位置する前記ユーザ機器に対してトリガメッセージを送信し、前記ユーザ機器に地震津波警報を送信している制御チャネルを強制的に聴取させる工程をさらに有することを特徴とする請求項１に記載の方法。
【請求項２６】
前記ユーザ機器がＧＥＲＡＮパケット転送モードにあるなら、前記パケット付随制御チャネル（ＰＡＣＣＨ）により前記メッセージの影響を受けるエリアに位置する前記ユーザ機器に対してトリガメッセージを送信し、前記ユーザ機器に地震津波警報を送信している制御チャネルを強制的に聴取させる手段をさらに有することを特徴とする請求項９に記載の基地局サブシステム。
【請求項２７】
前記ユーザ機器がＧＥＲＡＮパケット転送モードにあるなら、前記パケット付随制御チャネル（ＰＡＣＣＨ）によりトリガメッセージを受信し、地震津波警報を送信している制御チャネルを強制的に聴取する手段をさらに有することを特徴とする請求項１７に記載のユーザ機器。
【発明の詳細な説明】
【技術分野】
【０００１】
本発明は、セルラ無線通信システムにおけるメッセージを送信する方法と装置に関し、特に、ＧＥＲＡＮを用いてセルラ無線システムにアクセスするユーザ機器にＥＴＷＳ初期通報の送信に関する。
【背景技術】
【０００２】
第３世代パートナーシッププロジェクト（３ＧＰＰ）の汎欧州デジタル移動電話方式／ＧＳＭ拡張用の改善されたデータ速度（ＧＳＭ／ＥＤＧＥ）での無線アクセスネットワーク（ＧＥＲＡＮ）の標準化で、地震津波警報システム（ＥＴＷＳ）へのサポートを導入するための進行中の作業がある。ＥＴＷＳは、到来する地震や津波についての通知を迅速に移動局（ＭＳ）に送信するのを可能にするよう設計されている。移動局はそのユーザが安全対策を行うことができるようにユーザに警告を与えるように構成設定されている。
【０００３】
４秒以内で初期通報メッセージをユーザ／移動局に到達させるための要件がある。混乱を引き起こす原因となる偽りのメッセージが受信されるのを回避するために、おそらくは初期通報に認証情報を含ませることが必要となる。検討される代替案としては、デジタル署名の形式で（例えば、もしＤＳＡ署名を用いるなら４１バイト）認証情報をもたせることである。
【０００４】
さらにその上、ＧＥＲＡＮネットワークにおける移動局は異なるモードにあるかもしれない。即ち、
アイドルモード：移動局が現在、音声呼やデータサービスに用いられていない場合、
専用モード：移動局が現在、音声呼か回線交換データ接続に用いられている場合、
パケット転送モード：移動局が現在、パケット交換データ接続（ＧＰＲＳ）に
用いられている場合、
デュアル転送モード：移動局が現在（同時に）、音声呼とパケット交換データ接続
（ＧＰＲＳ）の両方に用いられている場合
である。
【０００５】
ＧＥＲＡＮネットワークによりＥＴＷＳ初期通報が送信される必要がある場合、移動局が現在あるモードとは独立に要求されている時間制限内（例えば、今検討しているように４秒）に移動局に到達することが必要である。
【０００６】
非特許文献１と非特許文献２で提案されているように、ＧＥＲＡＮ内でＥＴＷＳの初期通報の送信を行う現在ある提案では、パケット転送モードにある移動局には到達できない。言い換えると、パケット交換サービスに用いられている移動局には、たとえ、その移動局が地震や津波の影響を受けるエリアにいたとしても、ＥＴＷＳ警報が到達しない。ここで、ＥＴＷＳ初期通報はＧＥＲＡＮネットワークにより送信されているのである。
【０００７】
専用モードにある移動局にＥＴＷＳ初期通報を送信する提案が非特許文献１で提示された。その提案とは、基地局サブシステム（ＢＳＳ）が一定のエリアにある移動局に送信しなければならないＥＴＷＳ初期通報を受信するとき、ＥＴＷＳ初期通報を含むポイント−ツウ−ポイントのショートメッセージサービス（ＳＭＳ）メッセージを構築することである。それから、それらのＳＭＳメッセージが影響を受けるエリアにあり、専用モードにある移動局に低速付随制御チャネル（ＳＡＣＣＨ）により送信される。同じ提案がデュアルモードにある移動局に対してもおそらく用いられるであろう。しかしながら、専用モード、そして、潜在的にはデュアル転送モードに対するこの提案にはいくつかの課題がある。
【先行技術文献】
【非特許文献】
【０００８】
【非特許文献１】３ＧＰＰ  ＴＤｏｃ  ＧＰ−０８０１４２
【非特許文献２】３ＧＰＰ  ＴＤｏｃ  ＧＰ−０８１２１７
【発明の概要】
【発明が解決しようとする課題】
【０００９】
（ＳＡＣＣＨを介した）ＳＭＳの使用は、同時にハンドオーバ手順が実行される場合には信頼できるものではないであろう。進行中のＳＭＳ配信は、移動体が他のセルに移動するのでハンドオーバ手順が開始されると、割り込みを受け、再送されないであろう。そのとき、移動局にＥＴＷＳ初期通報は到達しないであろう。
【００１０】
ＳＡＣＣＨでポイント−ツウ−ポイントＳＭＳを送信する必要があると、これはＥＴＷＳ初期通報のための長い配信時間につながる。
【００１１】
それ故に、ＧＥＲＡＮシステムにおいてＥＴＷＳ通報メッセージを送信する方法やデバイスを改善する必要がある。
【００１２】
本発明の目的は、先に概観した問題を克服、或いは、低減する方法及び装置を提供することにある。
【課題を解決するための手段】
【００１３】
この目的などは、添付の請求の範囲によって説明されるような方法及び装置によって達成される。従って、無線基地局は、ＧＥＲＡＮを用いるセルラ無線システムにアクセスする移動局或いはユーザ機器（ＵＥ）にＥＴＷＳ通報メッセージを送信するために備えられる。基地局サブシステム（ＢＳＳ）は緊急センタから地震津波警報システムの通報を受信する。それから、無線基地局サブシステムは、もしＵＥがＧＥＲＡＮ専用モードにあるなら高速付随制御チャネル（ＦＡＣＣＨ）により、もしＵＥがＧＥＲＡＮパケット転送モードにあるならＰＡＣＣＨにより前記通信ネットワークの影響を受けるエリアに位置しているユーザ機器にその地震津波警報システムの通報を送信する。
【００１４】
ＥＴＷＳ初期通報メッセージは、３ＧＰＰ技術仕様（ＴＳ）４４．０１８アプリケーション情報手順／メッセージにおいて、ＥＴＷＳでＡＤＰＵと名称が付けられた新しいアプリケーションを導入することにより、ＧＥＲＡＮ専用モードにある移動局に対して送信することができる。
【００１５】
ＥＴＷＳ初期通報メッセージは、３ＧＰＰ技術仕様（ＴＳ）４４．０６０パケットページング要求メッセージを送信することにより、ＥＴＷＳの機能が可能な移動局に共用制御チャネル（ＣＣＣＨ）を聴取させるようにして、ＧＥＲＡＮパケット転送モードにある移動局に対して送信することができる。ここで、ＥＴＷＳ初期通報はアイドルモードにある移動局に対して同報される。その代わりに、進行中の一時的ブロックフロー（ＴＢＦ）がネットワークにより解放され、移動局にＣＣＣＨを聴取させるようにしても良い。代替案として、ＥＴＷＳ初期通報メッセージは、パケット転送モードにある移動局にパケット付随制御チャネル（ＰＡＣＣＨ）で新しい制御メッセージで送信することもできる。
【００１６】
さらに別の代替案では、パケット転送モードにある移動局にＥＴＷＳ警報について通知するために、新しい制御メッセージが導入されても良い。その新しい制御メッセージは実際のＥＴＷＳ初期通報メッセージを搬送するか、移動局に一時的にＣＣＣＨ或いは別のチャネルを聴取させても良い。ここで、ＥＴＷＳ初期通報はアイドルモードにある移動局に対して同報される。新しい制御メッセージはＰＡＣＣＨで送信される。
【００１７】
本発明はまた、上述した方法を長期にわたって実行するよう適合した無線基地局サブシステムのようなネットワークノードに拡張できる。これに加えて、本発明は上述の事柄に従って送信された通報を受信して処理するよう適合したユーザ機器とそのようなユーザ機器を動作させる方法にも拡張できる。ここで説明した方法とデバイスを用いることにより、ＥＴＷＳ初期通報がＧＥＲＡＮのパケット転送モードにある移動局に対して送信可能になる。また、ＧＥＲＡＮ専用モードにある移動局にＥＴＷＳ初期通報を送信することがより迅速に、より安全になる。なぜなら、ＦＡＣＣＨがＳＡＣＣＨの代わりに用いられるからである。
【００１８】
本発明の他の目的や利点や新規な特徴については、次に示す本発明の詳細な説明を添付図面と関連して考慮するときに明らかになるであろう。
【００１９】
より良い理解のために、次の添付図面と本発明の好適で代表的な実施例に言及する。
【図面の簡単な説明】
【００２０】
【図１】代表的な通信ネットワークアーキテクチュア示す図である。
【図２】ネットワークアーキテクチュアの関連部分を示すブロック図である。
【図３】ＥＴＷＳ通報をユーザ機器に送信するときに実行されるいくつかの手順的ステップを例示するフローチャートである。
【図４】ＥＴＷＳ通報をユーザ機器に送信する送信器を示す図である。
【図５ａ】、
【図５ｂ】ユーザ機器においてＥＴＷＳ通報を受信するときに実行されるいくつかの手順的ステップを例示するフローチャートである。
【図６】ＥＴＷＳ通報をユーザ機器で受信する受信器を示す図である。
【発明を実施するための形態】
【００２１】
代表的な３ＧＰＰのＧＳＭシステムネットワークのブロック図が図１に示されている。そのネットワークは無線アクセスネットワーク（ＲＡＮ）を含み、それは、例えば、ＧＳＭ／ＥＤＧＥ無線アクセスネットワーク（ＧＥＲＡＮ）１０とコアネットワーク（ＣＮ）２０である。ＧＥＲＡＮ１０とＣＮ２０とは、複数の移動局（ＭＳ）１２に対する通信と制御とを提供する。
【００２２】
ＧＥＲＡＮアーキテクチュア１０は、複数の基地局サブシステム（ＢＳＳ）１５を含み、夫々が無線基地局（ＢＴＳ）１８のセットに接続される基地局制御装置（ＢＳＣ）１６により制御される。ＢＴＳ１８は、エアインタフェースにより複数のＭＳ１２と通信するために必要なアンテナ、ＲＦ機器、及びベースバンド処理回路とを有する。ＢＴＳ１８は無線システムのＡｂｉｓインタフェースによりＢＳＣ１６に接続される。
【００２３】
コアネットワーク２０は通常、少なくとも１つのサービング汎用パケット無線サービス（ＧＰＲＳ）サポートノード（ＳＧＳＮ）２２、１つ以上のゲートウェイＧＰＲＳサポートノード（ＧＧＳＮ）２８、少なくとも１つの移動交換センタ（ＭＳＣ）２４とを有する。移動交換センタ（ＭＳＣ）２４は、在圏ロケーションレジスタ（ＶＬＲ）（図１では不図示）と、ゲートウェイＭＳＣ（ＧＭＳＣ）２６と、ＧＰＲＳホームロケーションレジスタ（ＨＬＲ）２５とを含んでいても良い。ＣＮ２０は種々の外部ネットワークとの回線交換とパケット交換の両方のデータ通信を提供し、通常それは公衆交換電話ネットワーク（ＰＳＴＮ）３２と、インターネット３４のような１つ以上のパケットモード通信ネットワークを含んでいる。
【００２４】
本発明の１実施例に従えば、通信ネットワークシステムはＧＳＭ通信システムである。しかしながら、当業者であれば、ここで説明する方法と構成とが他の通信システムでも同様に動作することを理解するであろう。移動局１２が移動体電話（“セルラ”電話）のようなユーザ機器、移動体終端をもつラップトップであっても良い。従って、それは、例えば、携帯型の、ポケット型の、ハンドヘルド型の、コンピュータ内蔵型の、或いは、車載型の、ＲＡＮと、音声とデータの内の少なくともいずれかで通信を行う移動体機器であって良い。
【００２５】
次に、ＧＥＲＡＮ専用モード、パケット転送モード、デュアル転送モードにある移動局にＥＴＷＳ初期通報を送信するための解決策について、詳細に説明する。１実施例に従えば、専用モード或いはパケット転送モードに対して用いられる解決策のいずれかはデュアル転送モードにある移動局に対しても用いられる。
【００２６】
ＥＴＷＳ初期通報が、例えば、セル同報サービスセンタのような緊急センタからＢＳＳにより受信される。ＢＳＳは、移動局の動作モードとは独立に、影響を受けるエリア（一定のセル）にある移動局にその通報を送信するように適合されている。次に、移動局にその通報を送信する異なる方法のいくつかについて説明する。
【００２７】
ＧＥＲＡＮ専用モードにある移動局
１実施例に従えば、専用モードにある移動局へのＥＴＷＳ初期通報の送信がＦＡＣＣＨで動作する現存する４４．０１８アプリケーション情報メッセージを用いて実行される。ＥＴＷＳ初期通報のためにＡＰＤＵと名称が付けられた新しいアプリケーションがこれらの通報を処理するために実装される。
【００２８】
認証情報はＥＴＷＳ初期通報メッセージに含まれる。それは、例えば、３ＧＰＰ技術仕様２３．０４１に説明されているように５６オクテットを有することができる。これは、そのメッセージの最大サイズが２５１オクテットであるのでアプリケーション情報メッセージに容易にフィットするであろう。
【００２９】
現存する４４．０１８のアプリケーション情報メッセージは今日、低い優先順位のメッセージとして（３ＧＰＰ技術仕様４４．０１８のセクション３．１．６に）定義されている。ＥＴＷＳ初期通報の送信が無線インタフェースにより優先順位が付けられていることを確認するために、ＥＴＷＳ初期通報を搬送する技術仕様４４．０１８のアプリケーション情報メッセージに通常のアプリケーション情報メッセージより高い優先順位が与えられる。例えば、そのようなメッセージにはノーマルな優先度か高い優先度が与えられる。
【００３０】
別の代替的実施例に従えば、新しい制御メッセージが導入され、専用モードにある移動局にＥＴＷＳ警報について通知することができる。その新しい制御メッセージは実際のＥＴＷＳ初期通報メッセージを搬送するか、或いは、移動局に一時的に、ＥＴＷＳ初期通報をアイドルモードにある移動局に同報するＣＣＣＨ或いは他のチャネルを聴取させる。その新しい制御メッセージはＦＡＣＣＨで送信される。
【００３１】
さらに別の代替的実施例では、ＥＴＷＳ初期通報メッセージは、ＦＡＣＣＨで送信されるポイント−ツウ−ポイントＳＭＳメッセージに含めることができる。それから、ＳＭＳメッセージはＳＡＣＣＨの代わりにＦＡＣＣＨで送信される。従って、ＥＴＷＳ初期通報はＦＡＣＣＨで送信されるＳＭＳメッセージとして送信される。これらのＳＭＳメッセージはＢＳＳにおいて構築され、ＦＡＣＣＨでのＳＭＳ受信をサポートする専用モードにある移動局に送信される。
【００３２】
ＧＥＲＡＮパケット転送モードにある移動局
１実施例に従えば、パケット転送モードにある移動局へのＥＴＷＳ初期通報の送信が、ＰＡＣＣＨで“前と同じ”にセットされたページモードＩＥとともに、無線資源（ＲＲ）接続確立のための４４．０６０のＰＡＣＫＥＴ  ＰＡＧＩＮＧ  ＲＥＱＵＥＳＴを送信することにより実行される。ＧＥＲＡＮにおいてＥＴＷＳ初期通報の受信をサポートする移動局は、一時的に、ＥＴＷＳ初期通報をアイドルモードにある移動局に送信するＣＣＣＨ或いは他のチャネルを聴取するように構成されている。
【００３３】
移動局識別子（ＩＥ）は“識別子なし”とセットされ、たとえページングされている移動局がなくとも、パケットページング要求メッセージを送信する。同じパケットデータチャネル（ＰＤＣＨ）で一時的ブロックフロー（ＴＢＦ）をもつ全ての移動局には同じパケットページング要求メッセージで到達するであろう。
【００３４】
代替的実施例では、パケット転送モードにある移動局は、現存する４４．０６０のＰＡＣＫＥＴ  ＴＢＦ  ＲＥＬＥＡＳＥメッセージを、影響を受けるエリアにある進行中のＴＢＦ各々についてＰＡＣＣＨで送信することにより、アイドルモードにある移動局にＥＴＷＳ初期通報を送信するＣＣＣＨに切り替えられる。進行中のＴＢＦセションはそのとき解放され、移動局はＥＴＷＳ初期通報を受信するＣＣＣＨを聴取することが可能になる。
【００３５】
全てのアクティブなＴＢＦが解放されねばならないことを回避し、一方、関係する移動局だけはＥＴＷＳ初期通報を受信することができるようにするため、移動局の能力情報が移動局からＢＳＳに送信される。ＥＴＷＳ初期通報を受信するための移動局の能力は、技術仕様２４．００８のＭＳ無線アクセス能力情報とＭＳクラスマーク情報との内の少なくともいずれかに含まれる。
【００３６】
さらに別の代替的実施例では、新しい制御メッセージが導入され、パケット転送モードにある移動局にＥＴＷＳ警報について通知する。その新しい制御メッセージは実際のＥＴＷＳ初期通報メッセージを搬送するか、或いは、移動局に一時的に、ＥＴＷＳ初期通報をアイドルモードにある移動局に同報するＣＣＣＨ或いは他のチャネルを聴取させる。その新しい制御メッセージはＰＡＣＣＨで送信される。
【００３７】
図３では、ＧＥＲＡＮを用いてセルラ無線システムにアクセスする移動局或いはユーザ機器（ＵＥ）にＥＴＷＳ通報メッセージを提供する際に、無線基地局で実行されるいくつかのステップを図示したフローチャートが示されている。まず、ステップ３０１では、無線基地局は緊急センタから地震津波警報システムの通報を受信する。次に、ステップ３０３では、無線基地局は、前記通信ネットワークの影響を受けるエリアに位置するユーザ機器に対して、そのユーザ機器がＧＥＲＡＮ専用モードにあるならＦＡＣＣＨにより、また、そのユーザ機器がＧＥＲＡＮパケット転送モードにあるならＰＡＣＣＨにより、その地震津波警報システムの通報を送信する。
【００３８】
図４には、通信ネットワークノード４００の構成、特に、上述した内容に従って通信ネットワークシステムにおけるユーザ機器に対して地震津波警報を送信する無線基地局が描かれている。通信ネットワークノードは、緊急センタから地震津波警報システムの通報を受信する受信器４０１と、その地震津波警報システムの通報を前記通信ネットワークの影響を受けるエリアに位置するユーザ機器に対して送信する送信器４０３とを有している。送信器４０３は、前記通信ネットワークの影響を受けるエリアに位置するユーザ機器に対して、そのユーザ機器がＧＥＲＡＮ専用モードにあるならＦＡＣＣＨにより、また、そのユーザ機器がＧＥＲＡＮパケット転送モードにあるならＰＡＣＣＨにより、その地震津波警報システムの通報を送信するように適合されている。
【００３９】
本発明のいくつかの実施例に従えば、前記地震津波警報システムの通報は前記ユーザ機器が専用動作モードにあるなら、アプリケーション情報メッセージとともに送信される。
【００４０】
本発明のいくつかの実施例に従えば、前記ユーザ機器が専用動作モードにあるなら、新しい制御メッセージが導入され、その制御メッセージとともに前記地震津波警報システムの通報が送信される。
【００４１】
本発明のいくつかの実施例に従えば、前記ユーザ機器が専用モードにあるなら、前記地震津波警報システムの通報が、ポイント−ツウ−ポイントのショートメッセージサービス（ＳＭＳ）メッセージでＦＡＣＣＨにより送信される。
【００４２】
本発明のいくつかの実施例に従えば、前記ユーザ機器がパケット転送動作モードにあるなら、前記地震津波警報システムの通報はパケットページング要求を送信することにより送信され、これにより、前記ユーザ機器は前記地震津波警報を送信している制御チャネルを聴取する。
【００４３】
本発明のいくつかの実施例に従えば、前記ユーザ機器がパケット転送動作モードにあるなら、前記地震津波警報システムの通報はパケットＴＢＦ解放メッセージを送信することにより送信される。これにより、前記ユーザ機器に前記地震津波警報を送信している制御チャネルを聴取する。
【００４４】
本発明のいくつかの実施例に従えば、前記ユーザ機器がパケット転送動作モードにあるなら、前記地震津波警報システムの通報を前記ユーザ機器に通知する新しい制御メッセージが導入される。これにより、前記ユーザ機器は前記地震津波警報を送信している制御チャネルを聴取する。
【００４５】
本発明のいくつかの実施例に従えば、パケット転送動作モードにある移動局にＥＴＷＳ警報について通知するために新しい制御メッセージが導入される。その新しい制御メッセージは実際のＥＴＷＳ初期通報メッセージを搬送するか、或いは、移動局に一時的に、ＥＴＷＳ初期通報をアイドルモードにある移動局に同報するＣＣＣＨ或いは他のチャネルを聴取させる。その新しい制御メッセージはＰＡＣＣＨで送信される。
【００４６】
１実施例に従えば、ＧＥＲＡＮで動作する通信ネットワークシステムにおける通信ネットワークノードから地震津波警報を受信するユーザ機器における手順が備えられる。図５ａは、ユーザ機器においてＥＴＷＳ通報を受信する際に実行されるいくつかの手順上のステップを図示する代表的なフローチャートである。その手順は、ステップ５０１ａにおいてユーザ機器が専用動作モードにあることを判断するステップと、ステップ５０３ａにおいて前記通信ネットワークノードから地震津波警報システムの通報をＦＡＣＣＨで受信するステップとを有する。その通報は、アプリケーション情報メッセージ、特別な制御メッセージ、或いは、ＦＡＣＣＨで送信されるポイント−ツウ−ポイントＳＭＳメッセージのいずれかとともに送信される。その情報が、位置データのような他のデータを送信するのに用いられるアプリケーション情報メッセージにおいて送信される場合、このメッセージはＥＴＷＳ情報を搬送するために拡張される。図５ｂは、ユーザ機器においてＥＴＷＳ通報を受信する際に実行されるいくつかの手順上のステップを図示する別の代表的なフローチャートである。その手順は、ステップ５０１ｂにおいてユーザ機器がパケット転送動作モードにあることを判断するステップと、ステップ５０３ｂにおいて、例えば、制御チャネルを聴取するか、或いは、前記警報を特別な制御メッセージとともに受信することにより、前記通信ネットワークノードから地震津波警報システムの通報をＰＡＣＣＨで受信するステップとを有する。その情報が位置データのような他のデータを送信するのに用いられるアプリケーション情報メッセージにおいて送信される場合、このメッセージはＥＴＷＳ情報を搬送するために拡張される。
【００４７】
図６にはＧＥＲＡＮを用いてセルラ無線システムにアクセスするために適合されたユーザ機器６００が描かれている。そのユーザ機器は通信ネットワークシステムにおける通信ネットワークノードから地震津波警報を受信するよう適合された受信器６０１を有している。その受信器は、前記ユーザ機器が専用モードにあるなら前記通信ネットワークノードから地震津波警報システムの通報を、アプリケーション情報メッセージ、新しく導入された制御メッセージ、或いは、ポイント−ツウ−ポイントＳＭＳメッセージとともに受信するよう適合されている。その代わりに、そのユーザ機器の受信器は、前記ユーザ機器がパケット転送動作モードにあるなら、制御チャネルを聴取するか、或いは、新しく導入された制御メッセージとともに前記警報を受信することにより、ＰＡＣＣＨにより前記通信ネットワークノードからの地震津波警報システムの通報を受信するように適合されていてもよい。もちろん、ユーザ機器はＦＡＣＣＨチャネルとＰＡＣＣＨチャネルの両方で警報を受信するよう適合された受信器を有することもできる。
【００４８】
このように好適な実施例に適用して本発明の基本的な新規の特徴を示し、説明し、指摘したが、例示された機器の形式や詳細とその動作において、種々の省略、代用、変更が当業者により本発明を逸脱することなくなされるものであることを理解されたい。例えば、同じ結果を達成するために実質的に同じ方法で実質的に同じ機能を実行する構成要素と方法のステップとの内の少なくともいずれかの全ての組み合わせは本発明の範囲内にあることが明らかに意図されている。さらにその上、本発明の開示された形式や実施例のいずれかと関連して示したか説明した構造と構成要素と方法のステップとの内の少なくともいずれかが一般的な設計事項として他の何らかの開示され、説明され、或いは、提案された形式や実施例において組み込まれても良いことを認識すべきである。
【図１】
0005367827.tif 000002
【図２】
0005367827.tif 000003
【図３】
0005367827.tif 000004
【図４】
0005367827.tif 000005
【図５ａ】
0005367827.tif 000006
【図５ｂ】
0005367827.tif 000007
【図６】
0005367827.tif 000008